(57)【特許請求の範囲】
【請求項１】
足場の端部において、落下防止用の側壁として使用される複数のパネルによるパネル構造体であって、
互いに横並びに配列される複数のパネルと、
パネルの周縁を囲むようにそれぞれのパネルに取り付けられる枠体と、
枠体における向かい合う左右の辺のそれぞれに端部が取り付けられ、それぞれの左右端部の上下位置を可変に構成された可変プレートと、
足場において水平方向に対して傾斜した状態で固定され、複数の可変プレートをスライド可能に保持するガイドレールと、を備え、
可変プレートの左右端部の上下位置を変化させることにより、ガイドレールの水平方向に対する傾斜角度に応じて、可変プレートの水平方向に対する傾斜角度を調整可能とした、パネル構造体。
【請求項２】
枠体における向かい合う左右の辺のそれぞれには、上下方向に延びるとともに可変プレートの左右端部のそれぞれが取り付けられる長穴が形成されており、
可変プレートは、枠体の長穴に挿入されて長穴に沿って上下方向に移動可能な移動部を備える、請求項１に記載のパネル構造体。
【請求項３】
枠体に設けられた長穴は、上下方向に直線状に延びる直線部と、直線部から枠体の内側に向かって横方向に湾曲するように延びる湾曲部とを有する、請求項２に記載のパネル構造体。
【請求項４】
移動部は、枠体の長穴に挿入されるボルトであり、可変プレートを枠体に対して解除可能に固定する、請求項２又は３に記載のパネル構造体。
【請求項５】
可変プレートは、枠体に取り付けられる第１のプレートと、第１のプレートの面からパネルより離れる方向に突出する突出部と、第１のプレートの面に対して平行となるように突出部に固定される第２のプレートとを備え、
第１のプレートの左右端部には移動部が設けられ、
第２のプレートは、ガイドレールによりスライド可能に保持される、請求項２から４のいずれか１つに記載のパネル構造体。
【請求項６】
枠体は、横方向からの断面で見たときに、パネルが嵌合する第１の溝と、可変プレートが嵌合する第２の溝とを形成する断面Ｅ字状の部分を有する、請求項１から５のいずれか１つに記載のパネル構造体。
【請求項７】
請求項１から６のいずれか１つに記載のパネル構造体を備える足場。
【請求項８】
足場の端部において、落下防止用の側壁として使用される複数のパネルによるパネル構造体の組立方法であって、
複数のパネルを準備するステップと、
パネルの周縁を囲むようにそれぞれのパネルに枠体を取り付けるステップと、
枠体における向かい合う左右の辺のそれぞれに可変プレートの端部を取り付け、可変プレートのそれぞれの左右端部の上下位置を可変に構成するステップと、
可変プレートの左右端部の上下位置を変化させることにより、可変プレートの水平方向に対する傾斜角度を調整するステップと、
足場において水平方向に対して傾斜した状態で固定されたガイドレールに、複数の可変プレートをスライドさせてガイドレールにより保持するステップと、
を含む、パネル構造体の組立方法。
【請求項９】
枠体における向かい合う左右の辺のそれぞれに、上下方向に延びるとともに可変プレートの左右端部のそれぞれが取り付けられる長穴が形成された枠体を用い、
枠体の長穴に挿入されて長穴に沿って上下方向に移動可能な移動部を備える可変プレートを用いる、請求項８に記載のパネル構造体の組立方法。
【請求項１０】
枠体に設けられる長穴として、上下方向に直線状に延びる直線部と、直線部から枠体の内側に向かって横方向に湾曲するように延びる湾曲部とを有した長穴を用いる、請求項９に記載のパネル構造体の組立方法。
【請求項１１】
可変プレートの移動部として、枠体の長穴に挿入されて、枠体に対して可変プレートを解除可能に固定するボルトを用いる、請求項９又は１０に記載のパネル構造体の組立方法。
【請求項１２】
可変プレートとして、第１のプレートと、第１のプレートの面からパネルより離れる方向に突出する突出部と、第１のプレートに対して平行となるように突出部に固定された第２のプレートとを備える可変プレートを用い、
可変プレートの左右端部を枠体に取り付けるステップは、可変プレートの第１のプレートの左右端部に設けられた移動部を枠体に取り付けるステップを含み、
可変プレートをガイドレールにより保持するステップは、可変プレートの第２のプレートをガイドレールにスライドさせて保持するステップを含む、
請求項９から１１のいずれか１つに記載のパネル構造体の組立方法。
【請求項１３】
枠体として、横方向からの断面で見たときに、パネルが嵌合する第１の溝と、可変プレートが嵌合する第２の溝とを形成する断面Ｅ字状の部分を有する枠体を用いる、請求項８から１２のいずれか１に記載のパネル構造体の組立方法。
【発明の詳細な説明】
【技術分野】
【０００１】
本発明は、足場における落下防止用のパネルによるパネル構造体およびその組立方法に関する。
【背景技術】
【０００２】
従来より、足場の端部において使用される落下防止用のパネルによるパネル構造体が提案されている（例えば、特許文献１）。
【０００３】
特許文献１で提案されるパネル構造体においては、パネルを水平方向にスライドさせて配列する。
【先行技術文献】
【特許文献】
【０００４】
【特許文献１】特許第５８８２５１８号
【発明の概要】
【発明が解決しようとする課題】
【０００５】
しかしながら、足場の場所によって、勾配は様々に変化する。特許文献１のパネル構造体では、パネルを水平方向にスライドさせて配列するのみであったため、足場の勾配に応じてパネルを所望の姿勢に配置することは行われていなかった。
【０００６】
従って、本発明の目的は、足場の勾配に応じてパネルを所望の姿勢に配置することができるパネル構造体を提供することにある。
【課題を解決するための手段】
【０００７】
上記目的を達成するために、本発明は以下のように構成する。
【０００８】
本発明の一態様によれば、足場の端部において、落下防止用の側壁として使用される複数のパネルによるパネル構造体であって、互いに横並びに配列される複数のパネルと、パネルの周縁を囲むようにそれぞれのパネルに取り付けられる枠体と、枠体における向かい合う左右の辺のそれぞれに端部が取り付けられ、それぞれの左右端部の上下位置を可変に構成された可変プレートと、足場において水平方向に対して傾斜した状態で固定され、複数の可変プレートをスライド可能に保持するガイドレールと、を備え、可変プレートの左右端部の上下位置を変化させることにより、ガイドレールの水平方向に対する傾斜角度に応じて、可変プレートの水平方向に対する傾斜角度を調整可能とした、パネル構造体を提供する。
【０００９】
また、本発明の一態様によれば、足場の端部において、落下防止用の側壁として使用される複数のパネルによるパネル構造体の組立方法であって、複数のパネルを準備するステップと、パネルの周縁を囲むようにそれぞれのパネルに枠体を取り付けるステップと、枠体における向かい合う左右の辺のそれぞれに可変プレートの端部を取り付け、可変プレートのそれぞれの左右端部の上下位置を可変に構成するステップと、可変プレートの左右端部の上下位置を変化させることにより、可変プレートの水平方向に対する傾斜角度を調整するステップと、足場において水平方向に対して傾斜した状態で固定されたガイドレールに、複数の可変プレートをスライドさせてガイドレールにより保持するステップと、を含む、パネル構造体の組立方法を提供する。
【発明の効果】
【００１０】
本発明のパネル構造体およびその組立方法によれば、足場の勾配に応じてパネルを所望の姿勢に配置することができる。
【図面の簡単な説明】
【００１１】
【図１Ａ】実施形態にかかるパネル構造体の概略正面図
【図１Ｂ】実施形態にかかるパネル構造体の概略背面図
【図２】（ａ）枠体の概略背面図、（ｂ）Ｃ−Ｃ断面図、（ｃ）Ｄ−Ｄ断面図、（ｄ）枠体の長穴を示す概略図
【図３】（ａ）パネル、枠体および可変プレートの概略背面図、（ｂ）Ｅ−Ｅ断面図、（ｃ）Ｆ−Ｆ断面図
【図４】（ａ）可変プレートおよび固定部の概略正面図、（ｂ）概略底面図、（ｃ）Ｇ−Ｇ断面図、（ｄ）Ｈ−Ｈ断面図
【図５】（ａ）可変プレート、ガイドレールおよび単クランプの接続状態を説明する断面図、（ｂ）可変プレート、ガイドレールおよび単クランプの接続状態を説明する平面図
【図６】（ａ）バンドによる固定を説明するための断面図、（ｂ）斜視図
【図７】実施形態によるパネル構造体の組立方法に関するフローチャート
【図８】可変プレートの傾斜角度を調整する方法を説明するための模式図
【発明を実施するための形態】
【００１２】
（実施形態）
以下、本発明の吊り足場における落下防止用のパネルによるパネル構造体およびその組立方法に係る実施形態について、添付の図面を参照しながら説明する。なお、本発明のパネル構造体およびその組立方法は、以下の実施形態に記載した構成に限定されるものではない。
【００１３】
図１Ａ、１Ｂは、足場の端部において、落下防止用の側壁として使用される複数のパネル４によるパネル構造体２の概略図を示す。図１Ａは、パネル構造体２の正面図であり、図１Ｂは、パネル構造体２の背面図である。
【００１４】
足場は例えば、橋、高速道路、タンクなどの構造物に対して補修作業などを行うために、構造物の下方や側方に設置されるものである。図１Ａ、１Ｂに示すように、足場に設けられるパネル構造体２は、複数のパネル４と、複数の枠体６とを備える。図１Ｂに示すように、パネル構造体２はその背面側において、後述する単クランプ１６により横単管１３に取り付けられており、横単管１３に接続した鉛直単管１４を介して足場に固定されている。パネル構造体２が設置される足場の場所によって高さの勾配は様々であり、図１Ｂに示す例では、横単管１３が水平方向Ｂに対して角度α傾斜した方向に延びている。
【００１５】
複数のパネル４のそれぞれは、足場の端部において、落下防止用の側壁（騒音防止機能などを兼ねてもよい）として機能する部材である。本実施形態におけるパネル４は、略矩形状の縦長の部材である。図１Ａ、１Ｂに示す例では、パネル４の長手方向および縦方向が鉛直方向（上下方向）Ａに一致し、パネル４の短手方向および横方向が水平方向（左右方向）Ｂに一致する例を示す。
【００１６】
それぞれのパネル４には枠体６が取り付けられている。枠体６は、パネル４の周縁を囲むようにパネル４に取り付けられる部材である。本実施形態における枠体６は、パネル４よりもやや大きな略矩形状の縦長の外形を有し、パネル４を配置するための空間を内側に形成する。図１Ａ、１Ｂに示すように、枠体６同士が横並びに隣接するように配列されている。
【００１７】
枠体６の詳細な構造を図２（ａ）―２（ｄ）に示す。図２（ｂ）、２（ｃ）に示すように、枠体６は厚み方向に２段の構造を有する。具体的には、枠体６はその内側に、パネル４を配置するための第１の溝６ｅと、後述する可変プレート８を配置するための第２の溝６ｆとを形成している。枠体６の上方向端部においては、図２（ｂ）に示すように、第１の溝６ｅおよび第２の溝６ｆが横方向全長にわたって延びている。一方で、枠体６の上方向端部よりも下方部分においては、図２（ｃ）に示すように、左右に対向する辺６ａ、６ｂを形成するように、断面略Ｅ字状の部分が対向するように形成されている。断面略Ｅ字状の部分においても、第１の溝６ｅおよび第２の溝６ｆがそれぞれ形成されている。枠体６の下端部は、枠体６の上端部と同様の構造を有している（図２（ｂ））。
【００１８】
図２（ａ）に示すように、枠体６における左右の辺６ａ、６ｂの表面（背面側）には、一対の長穴６ｃ、６ｄが形成されている。長穴６ｃ、６ｄは、後述する可変プレート８を枠体６に移動可能に取り付けるための長穴である。図２（ｄ）に示すように、長穴６ｃ、６ｄは、左右方向において対称的な形状を有している。具体的には、長穴６ｃ、６ｄのそれぞれは、内側に向かって湾曲するような縦長の湾曲形状を有している。より具体的には、長穴６ｃ、６ｄのそれぞれは、直線部１８ａと湾曲部１８ｂとを有する。直線部１８ａは、縦方向（上下方向Ａ）に直線状に延びた長穴部分である。湾曲部１８ｂは、直線部１８ａの上下端部から横方向（水平方向Ｂ）内側に向かって湾曲した長穴部分である。
【００１９】
枠体６にパネル４および可変プレート８が取り付けられた状態を図３（ａ）―３（ｃ）に示す。図３（ａ）―３（ｃ）に示すように、枠体６の第１の溝６ｅにはパネル４が配置され、第２の溝６ｆには可変プレート８が配置される。パネル４を枠体６内に配置するには、複数のパーツに予め分割された枠体６をパネル４に取り付けて、各パーツを固定することにより取り付けてもよい。可変プレート８は、枠体６における向かい合う左右の辺６ａ、６ｂのそれぞれに端部が取り付けられ、それぞれの左右端部の上下位置を可変に構成される。より具体的には、可変プレート８の左右端部に設けられた移動部１０を長穴６ｃ、６ｄに沿って上下方向に移動可能に取り付けている。本実施形態では、可変プレート８は、枠体６の左右の辺６ａ、６ｂの表面に設けられた長穴６ｃ、６ｄを介して、パネル４の主面に平行な方向Ｒ（図３（ａ））に回転可能な状態で枠体６に取り付けられている。
【００２０】
次に、可変プレート８の詳細な構造を図４（ａ）―４（ｄ）に示す。図４（ａ）―４（ｄ）に示すように、可変プレート８は、第１のプレート８ａと、接続部８ｂと、第２のプレート８ｃとを有する。可変プレート８は、第１のプレート８ａを介して枠体６に取り付けられ、第２のプレート８ｃを介して後述するガイドレール１２にスライド可能に取り付けられる。第１のプレート８ａおよび第２のプレート８ｃはともに横方向に延びる形状を有し、接続部８ｂを介して一体的に接続されている。図４（ａ）に示すように、第１のプレート８ａの長さは、第２のプレート８ｃの長さよりも長く設定されている。第１のプレート８ａにおいて、第２のプレート８ｃよりも横方向に突出した部分には移動部１０が設けられる。
【００２１】
移動部１０は、可変プレート８を枠体６に対して移動可能に取り付けるための機構である。本実施形態における移動部１０は、ナット１０ａと、ボルト１０ｂとを備える。図４（ｃ）に示すように、ナット１０ａは、第１のプレート８ａに固定されている。具体的には、第１のプレート８ａは、縦方向における両端部が折り返された形状を有しており、第１のプレート８ａの折返された端部同士によって挟まれる位置にナット１０ａが配置され、第１のプレート８ａに固定される。ボルト１０ｂは、ナット１０ａに挿通されるボルトである。第１のプレート８ａには、ナット１０ａの中心孔に連通する貫通孔（符号省略）が設けられており、当該貫通孔を介してボルト１０ｂがナット１０ａに挿通される。
【００２２】
図３（ａ）、３（ｃ）に戻ると、ボルト１０ｂは、前述した枠体６における一対の長穴６ｃ、６ｄを通って、第１のプレート８ａのナット１０ａに挿通される。図３（ｃ）に示すように、ボルト１０ｂにおいて、長穴６ｃ、６ｄに通される先端のねじ切り部は、長穴６ｃ、６ｄよりも小さな外形を有する一方で、ボルト１０ｂの頭は長穴６ｃ、６ｄよりも大きな外形を有する。このような外形を有することで、可変プレート８は、一対の長穴６ｃ、６ｄを介してそれぞれの左右端部を上下方向に移動可能な状態に枠体６に取り付けられ、さらに、パネル４の主面に平行な方向Ｒに回転可能な状態で取り付けられる。また、ボルト１０ｂをナット１０ａに向けて締め付ければ、枠体６に対して可変プレート８を解除可能に固定することができる。
【００２３】
このような移動部１０を設けることにより、可変プレート８の左右方向Ｂに対する傾斜角度を、後述するガイドレール１２の左右方向Ｂに対する傾斜角度に応じて調整することができ、パネル４が鉛直方向Ａに立つように配列可能となる。
【００２４】
可変プレート８とガイドレール１２の関係について、図５（ａ）、５（ｂ）を用いて説明する。ガイドレール１２は、可変プレート８をスライド可能に受けるための部材である。ガイドレール１２は、可変プレート８を横方向にスライド可能に保持するように、横方向に長い棒状部材として形成される。図５（ｂ）に示すように、可変プレート８を複数個取り付けることができるように、ガイドレール１２の横方向長さは、可変プレート８の複数個分以上の長さに設定されている。
【００２５】
ガイドレール１２は、図５（ａ）に示すように、可変プレート８の第２のプレート８ｃをスライド可能に保持するための溝を有するスライド保持部１２ａを備える。スライド保持部１２ａを設けることで、可変プレート８の第２のプレート８ｃがスライド保持部１２ａに解除可能に係合して、ガイドレール１２に沿ってスライド移動可能となる。
【００２６】
ガイドレール１２はさらに、スライド保持部１２ａと一体的に形成された本体部１２ｂを備える。本体部１２ｂは、スライド保持部１２ａとともに横方向に延びる中空状の部材であり、前述した単クランプ１６が取り付けられている。単クランプ１６は、前述した足場における横単管１３を把持するための部材である。単クランプ１６を介して、ガイドレール１２が横単管１３に取り付けて固定される。
【００２７】
図１Ｂに戻ると、単クランプ１６によって把持される横単管１３は、鉛直単管１４に取り付けられる。横単管１３と鉛直単管１４は例えば、自在クランプにより互いに固定される。図１Ｂに示す例では、鉛直単管１４は横単管１３よりも内側に、すなわち、横単管１３とパネル４の間に配置される。このような鉛直単管１４を配置するためのスペースを確保するために、ガイドレール１２において前述した本体部１２ｂが設けられている（図５（ａ）、５（ｂ））。
【００２８】
図１Ｂに示すように、パネル構造体２はさらに、ガイドレール１２と横単管１３を固定するためのバンド２０を備える。バンド２０の詳細な構造を図６（ａ）―６（ｃ）に示す。図６（ａ）に示すように、バンド２０は、横単管１３、ガイドレール１２および可変プレート８の第１のプレート８ａを挟んで掴むことができるように大略コの字型の断面を有する。バンド２０はまた、図６（ｂ）に示すように、２つのバンド部材２０ａ、２０ｂで構成されている。このように２つの部材で構成されることにより、バンド２０の先端の開き角度を調整できるようにしている。第１のバンド部材２０ａおよび第２のバンド部材２０ｂは、上下方向に対称的な外形を有する。
【００２９】
第１のバンド部材２０ａおよび第２のバンド部材２０ｂのそれぞれの先端には、可変プレート８の第１のプレート８ａに引っ掛かるための爪２０ｃ、２０ｄがそれぞれ形成されている。さらに、第１のバンド部材２０ａおよび第２のバンド部材２０ｂにおいて、爪２０ｃ、２０ｄが設けられている端部とは逆側の端部はともに湾曲状に形成されている。第１のバンド部材２０ａおよび第２のバンド部材２０ｂは、当該湾曲部において互いに接触するように配置される。当該湾曲部に関して、第１のバンド部材２０ａにはナット２０ｅが取り付けられており、第２のバンド部材２０ｂには長穴２０ｆが設けられている。長穴２０ｆは、第２のバンド部材２０ｂにおいて長手方向に延びる長穴である。長穴２０ｆは、第１のバンド部材２０ａのナット２０ｅに挿通するためのボルト２０ｇを通すための長穴である。長穴２０ｆを介してボルト２０ｇをナット２０ｅに挿通した状態において、第１のバンド部材２０ａと第２のバンド部材２０ｂをそれぞれの湾曲部にて接触させた状態において、互いに摺動させることができる。このように摺動させることにより、第１のバンド部材２０ａの爪２０ｃと、第２のバンド部材２０ｂの爪２０ｄとの距離を変える、すなわち、バンド２０の先端の開き角度を調整することができる。
【００３０】
このような構成において、パネル構造体２が設置される足場の場所によって高さの勾配は様々であり、図１Ｂに示す例では、横単管１３が水平方向Ｂに対して角度α傾斜した方向に延びている。横単管１３に平行に接続されるガイドレール１２も同方向に傾斜する。本実施形態のパネル構造体２では、このような水平方向Ｂに対して傾斜したガイドレール１２に保持されても、パネル４を鉛直方向Ａに立てて配置できるように可変プレート８を設けている。具体的には、可変プレート８をガイドレール１２にスライドさせて保持する前に、水平方向Ｂに対する可変プレート８の傾斜角度を調整する。これにより、ガイドレール１２により可変プレート８を保持したときに、パネル４が鉛直方向Ａに立つ（パネル４の縦方向が鉛直方向Ａに一致する）ように配置することができる。以下、具体的なパネル構造体２の組立・設置方法について、図７のフローチャートに沿って説明する。
【００３１】
まず、複数のパネル４を準備する（ステップＳ１）。具体的には、図１Ａ、１Ｂなどに示した略矩形状のパネル４を複数枚準備する。
【００３２】
次に、パネル４に枠体６を取り付ける（ステップＳ２）。具体的には、図２（ａ）―２（ｃ）などに示した形状を有する枠体６をパネル４のそれぞれに１つずつ嵌合させる。例えば、複数のパーツに分割された枠体６をパネル４に取り付けてから各パーツを固定することで、枠体６における第１の溝６ｅ内にパネル４を配置して枠体６に取り付ける。これにより、パネル４の周縁を囲むように枠体６をパネル４に取り付ける。
【００３３】
次に、枠体６に対して可変プレート８を取り付ける（ステップＳ３）。具体的には、図３（ａ）、３（ｃ）などに示すように、枠体６における第２の溝６ｆ内に可変プレート８の第１のプレート８ａを配置する。その状態で、枠体６の長穴６ｃ、６ｄにボルト１０ｂを挿入し、第２の溝６ｆ内に配置されている第１のプレート８ａのナット１０ａに挿通する。このとき、ボルト１０ｂは完全に締め付けずに、ボルト１０ｂの頭を枠体６から離した状態に配置する。これにより、ボルト１０ｂを長穴６ｃ、６ｄに挿入した状態において、可変プレート８は長穴６ｃ、６ｄを介して、パネル４の主面に平行な方向Ｒに回転可能に取り付けられる。このように、枠体６における向かい合う左右の辺６ａ、６ｂのそれぞれに可変プレート８の端部を取り付け、可変プレート８のそれぞれの左右端部の上下位置を可変に構成している。
【００３４】
次に、可変プレート８の傾斜角度を調整する（ステップＳ４）。具体的には、可変プレート８の左右端部の上下位置を変化させることにより、可変プレート８の水平方向Ｂに対する傾斜角度を調整する。本実施形態では、ボルト１０ｂを長穴６ｃ、６ｄに挿入した状態において長穴６ｃ、６ｄに沿って上下方向に移動させることで、可変プレート８の傾斜角度を調整することができる。また本実施形態では、パネル４の主面に平行な方向Ｒに可変プレート８を回転可能に構成しており、可変プレート８の傾斜角度を調整することができる。
【００３５】
ここで、可変プレート８の傾斜角度を調整する方法について、図８を用いて説明する。図８に示すように、枠体６の縦方向を鉛直方向Ａに維持しながら、枠体６に取り付けられている可変プレート８の左右端部の上下位置を変化させる。具体的には、可変プレート８の左端部の取付位置８ｄの上下位置を変化させるとともに、右端部の取付位置８ｅの上下位置を変化させる。このように可変プレート８の左右端部の上下位置を変化させることにより、可変プレート８の水平方向Ｂに対する傾斜角度θを調整することができる。このため、ガイドレール１２の水平方向Ｂに対する傾斜角度αに応じて、可変プレート８の水平方向Ｂに対する傾斜角度θを一致するように調整することができるため、足場の勾配に応じてパネル４を所望の姿勢に配置することができる。
【００３６】
図２（ｄ）に示したように、長穴６ｃ、６ｄのそれぞれは、直線部１８ａと湾曲部１８ｂを有する。このため、直線部１８ａにおいて可変プレート８を上下させることで可変プレート８の上下位置を調整できるだけでなく、湾曲部１８ｂにおいて可変プレート８を回転させることで回転位置も調整することができる。長穴６ｃ、６ｄの横幅は、長穴６ｃ、６ｄに挿通されるボルト１０ｂのねじ切り先端部の径よりもやや大きく設定されているため、ボルト１０ｂが直線部１８ａを通過する場合であっても、上下方向だけでなく左右方向にもわずかに移動することができる。このことは、湾曲部１８ｂを通過する場合も同様である。
【００３７】
次に、枠体６に対して可変プレート８を解除可能に固定する（ステップＳ５）。具体的には、ステップＳ４で調整した傾斜角度において、移動部１０のボルト１０ｂを締め付けることで、枠体６に対して可変プレート８を固定する。
【００３８】
次に、ガイドレール１２により可変プレート８を保持する（ステップＳ６）。具体的には、水平方向Ｂに対して傾斜した状態で固定されたガイドレール１２に対して、可変プレート８の第２のプレート８ｃをスライドさせて挿入し、ガイドレール１２により保持する。ガイドレール１２の長さは、可変プレート８の複数個分以上の長さに設定されているため、ガイドレール１２に複数の可変プレート８をスライドさせて保持することができる。これにより、複数の枠体６および複数のパネル４を足場に固定することができる。ステップＳ４において、可変プレート８の傾斜角度を予め調整し、ガイドレール１２により可変プレート８を保持したときにパネル４が鉛直方向Ａに立つように調整している。このようにして、足場の勾配に応じてパネル４の姿勢を所望の姿勢に配置することができる。
【００３９】
次に、バンド２０による固定を行う（ステップＳ７）。具体的には、図６（ａ）、６（ｂ）に示したように、横単管１３とガイドレール１２と可変プレート８とを囲むようにバンド２０で固定する。このとき、図６（ｂ）に示すように、第２のバンド部材２０ｂの長穴２０ｆを介してボルト２０ｇをナット２０ｅに挿通した状態において、第１のバンド部材２０ａと第２のバンド部材２０ｂとの相対的な位置を変えるように摺動させる。これにより、バンド２０の先端の開き角度を調整し、横単管１３、ガイドレール１２および可変プレート８の第１のプレート８ａを取り囲むようにバンド２０を配置することができる。最終的にボルト２０ｇを締め付けることにより、第１のバンド部材２０ａと第２のバンド部材２０ｂとを相対的に固定する。
【００４０】
上述したステップＳ１−Ｓ７により、複数の可変プレート８およびガイドレール１２を介して、複数のパネル４および複数の枠体６が横単管１３および鉛直単管１４に取り付けられて足場に固定される。このようにして、足場の端部において落下防止用の側壁として使用される複数のパネル４によるパネル構造体２を組み立てて設置することができる。
【００４１】
このような方法によれば、ガイドレール１２が水平方向Ｂに対して傾斜している場合であっても、可変プレート８をガイドレール１２により保持したときに、パネル４を鉛直方向Ａに立たせることができる。具体的には、枠体６における可変プレート８の左右端部の上下位置を調整することで、ガイドレール１２の水平方向Ｂに対する傾斜角度に応じて、可変プレート８の水平方向Ｂに対する傾斜角度を調整可能としている。このようにして、足場の勾配に応じてパネル４を所望の姿勢に配置することができる。また、足場の落下防止機構としてのパネル構造体２の安全性を向上させるとともに、パネル構造体２の外観を良好にすることができる。
【００４２】
なお、パネル構造体２の組立方法に関するステップＳ１−Ｓ７の順序は、図７のフローチャートで示した例に限られない。可変プレート８の傾斜角度を調整して、パネル構造体２と同様の構造を有するパネル構造体を形成することができれば、各ステップの順序を適宜入れ替えてもよい。また、必要に応じて各構成要素の数などを増減させてもよい。当該増減に応じて、各ステップＳ１−Ｓ７で各構成要素の数、あるいは各ステップの順序を適宜変更してもよい。
【００４３】
上述したように、本実施形態のパネル構造体２は、足場の端部において、落下防止用の側壁として使用される複数のパネル４によるパネル構造体２である。パネル構造体２は、複数のパネル４と、枠体６と、可変プレート８と、ガイドレール１２と、を備える。複数のパネル４は、互いに横並びに配列される。枠体６は、パネル４の周縁を囲むようにそれぞれのパネル４に取り付けられる。可変プレート８は、枠体６における向かい合う左右の辺６ａ、６ｂのそれぞれに端部が取り付けられ、それぞれの左右端部の上下位置を可変に構成される。ガイドレール１２は、足場において水平方向Ｂに対して傾斜した状態で固定され、複数の可変プレート８をスライド可能に保持する。可変プレート８の左右端部の上下位置を変化させることにより、ガイドレール１２の水平方向Ｂに対する傾斜角度に応じて、可変プレート８の水平方向Ｂに対する傾斜角度を調整可能とした。このような構成によれば、ガイドレール１２の水平方向Ｂに対する傾斜角度に応じて、可変プレート８の水平方向Ｂに対する傾斜角度を調整することにより、ガイドレール１２が水平方向Ｂに対して傾斜する場合であっても、可変プレート８および枠体６を介して、複数のパネル４を所望の方向に配列することができる。これにより、足場の勾配に応じてパネル４を所望の姿勢に配置することができる。
【００４４】
また実施形態のパネル構造体２では、枠体６における向かい合う左右の辺６ａ、６ｂのそれぞれには、上下方向Ａに延びるとともに可変プレート８の左右端部のそれぞれが取り付けられる長穴６ｃ、６ｄが形成されている。また、可変プレート８は、枠体６の長穴６ｃ、６ｄに挿入されて長穴６ｃ、６ｄに沿って上下方向Ａに移動可能な移動部１０を備える。このような構成によれば、枠体６の長穴６ｃ、６ｄと、長穴６ｃ、６ｄに沿って移動可能な移動部１０を用いて可変プレート８の左右端部の上下位置を可変に構成することにより、可変プレート８の左右端部の上下位置を簡易な方法で調整することができる。これにより、可変プレート８の傾斜角度を調整する際の作業性を向上させることができ、安全性を向上させることができるとともに、パネル４を所望の姿勢に容易に配置することができる。
【００４５】
また実施形態のパネル構造体２では、枠体６に設けられた長穴６ｃ、６ｄは、上下方向Ａに直線状に延びる直線部１８ａと、直線部１８ａから枠体６の内側に向かって横方向に湾曲するように延びる湾曲部１８ｂとを有する。このような構成によれば、長穴６ｃ、６ｄとして直線部１８ａおよび湾曲部１８ｂを設けることで、可変プレート８の上下位置をより柔軟に調整することができ、パネル４をより所望の姿勢に配置することができる。
【００４６】
また実施形態のパネル構造体２では、移動部１０は、枠体６の長穴６ｃ、６ｄに挿入されるボルト１０ｂであり、可変プレート８を枠体６に対して解除可能に固定する。移動部１０としてこのようなボルト１０ｂを用いることにより、ボルト１０ｂを長穴６ｃ、６ｄに通過させながら可変プレート８の傾斜角度を調整することができる。かつ、ボルト１０ｂを締め付けることにより、枠体６に対して可変プレート８を解除可能に固定することができる。このような構成を採用することで、可変プレート８の傾斜角度を調整する際の作業性を向上させることができ、安全性を向上させることができるとともに、パネル４を所望の姿勢に容易に配置することができる。
【００４７】
また実施形態のパネル構造体２では、可変プレート８は、第１のプレート８ａと、接続部（突出部）８ｂと、第２のプレート８ｃとを備える。第１のプレート８ａは、枠体６に取り付けられる。接続部８ｂは、第１のプレート８ａの面からパネルより離れる方向に突出する。第２のプレート８ｃは、第１のプレート８ａの面に対して平行となるように接続部８ｂに固定される。第１のプレート８ａの左右端部には移動部１０が設けられ、第２のプレート８ｃは、ガイドレール１２によりスライド可能に保持される。このような構成によれば、移動部１０を取り付けるために第１のプレート８ａを使用し、ガイドレール１２にスライドさせて保持するために第２のプレート８ｃを使用している。このように、用途に応じて別々のプレートを使用することにより、パネル構造体２を足場に設置する際の作業性を向上させることができ、安全性を向上させることができる。
【００４８】
また実施形態のパネル構造体２では、枠体６は、横方向からの断面で見たときに、パネルが嵌合する第１の溝６ｅと、可変プレート８が嵌合する第２の溝６ｆとを形成する断面Ｅ字状の部分を有する。枠体６をこのような２段構造とすることで、パネル４への枠体６の取り付けおよび枠体６への可変プレート８の取り付けを容易に行うことができる。これにより、パネル構造体２を足場に設置する際の作業性を向上させることができ、安全性を向上させることができる。
【００４９】
上述したように、本実施形態のパネル構造体２の組立方法は、落下防止用の側壁として使用される複数のパネル４によるパネル構造体２の組立方法である。当該組立方法は、複数のパネル４を準備するステップを含む。当該組立方法は、パネル４の周縁を囲むようにそれぞれのパネル４に枠体６を取り付けるステップを含む。当該組立方法は、枠体６における向かい合う左右の辺６ａ、６ｂのそれぞれに可変プレート８の端部を取り付け、可変プレート８のそれぞれの左右端部の上下位置を可変に構成するステップを含む。当該組立方法は、可変プレート８の左右端部の上下位置を変化させることにより、可変プレート８の水平方向Ｂに対する傾斜角度を調整するステップを含む。当該組立方法は、足場において水平方向Ｂに対して傾斜した状態で固定されたガイドレール１２に、複数の可変プレート８をスライドさせてガイドレール１２により保持するステップを含む。このような方法によれば、ガイドレール１２の水平方向Ｂに対する傾斜角度に応じて、可変プレート８の水平方向Ｂに対する傾斜角度を調整することにより、ガイドレール１２が水平方向Ｂに対して傾斜する場合であっても、可変プレート８および枠体６を介して、複数のパネル４を所望の方向に配列することができる。これにより、足場の勾配に応じてパネル４を所望の姿勢に配置することができる。
【００５０】
また実施形態のパネル構造体２の組立方法では、枠体６における向かい合う左右の辺６ａ、６ｂのそれぞれに、上下方向Ａに延びるとともに可変プレート８の左右端部のそれぞれが取り付けられる長穴６ｃ、６ｄが形成された枠体６を用いる。また、枠体６の長穴６ｃ、６ｄに挿入されて長穴６ｃ、６ｄに沿って上下方向Ａに移動可能な移動部１０を備える可変プレート８を用いる。このような方法によれば、枠体６の長穴６ｃ、６ｄと、長穴６ｃ、６ｄに沿って移動可能な移動部１０を用いて可変プレート８の左右端部の上下位置を可変に構成することにより、可変プレート８の左右端部の上下位置を簡易な方法で調整することができる。これにより、可変プレート８の傾斜角度を調整する際の作業性を向上させることができる。また、安全性を向上させることができるとともに、パネル４を所望の姿勢に容易に配置することができる。
【００５１】
また実施形態のパネル構造体２の組立方法では、枠体６に設けられる長穴６ｃ、６ｄとして、上下方向Ａに直線状に延びる直線部１８ａと、直線部１８ａから枠体６の内側に向かって横方向に湾曲するように延びる湾曲部１８ｂとを有した長穴６ｃ、６ｄを用いる。このような方法によれば、長穴６ｃ、６ｄとして直線部１８ａおよび湾曲部１８ｂを設けることで、可変プレート８の上下位置をより柔軟に調整することができ、パネル４をより所望の姿勢に配置することができる。
【００５２】
また実施形態のパネル構造体２の組立方法では、可変プレート８の移動部１０として、枠体６の長穴６ｃ、６ｄに挿入されて、枠体６に対して可変プレート８を解除可能に固定するボルト１０ｂを用いる。移動部１０としてこのようなボルト１０ｂを用いることにより、ボルト１０ｂを長穴６ｃ、６ｄに通過させながら可変プレート８の傾斜角度を調整することができる。かつ、ボルト１０ｂを締め付けることにより、枠体６に対して可変プレート８を解除可能に固定することができる。このような構成を採用することで、可変プレート８の傾斜角度を調整する際の作業性を向上させることができ、安全性を向上させることができるとともに、パネル４を所望の姿勢に容易に配置することができる。
【００５３】
また実施形態のパネル構造体２の組立方法では、可変プレート８として、第１のプレート８ａと、第１のプレート８ａの面からパネルより離れる方向に突出する接続部（突出部）８ｂと、第１のプレート８ａに対して平行となるように接続部８ｂに固定された第２のプレート８ｃとを備える可変プレート８を用いる。また、可変プレート８の左右端部を枠体６に取り付けるステップは、可変プレート８の第１のプレート８ａの左右端部に設けられた移動部１０を枠体６に取り付けるステップを含む。また、可変プレート８をガイドレール１２により保持するステップは、可変プレート８の第２のプレート８ｃをガイドレール１２にスライドさせて保持するステップを含む。このような方法によれば、移動部１０を取り付けるために第１のプレート８ａを使用し、ガイドレール１２にスライドさせて保持するために第２のプレート８ｃを使用している。このように、用途に応じて別々のプレートを使用することにより、パネル構造体２を足場に設置する際の作業性を向上させることができ、安全性を向上させることができる。
【００５４】
また実施形態のパネル構造体２の組立方法では、枠体６として、横方向からの断面で見たときに、パネルが嵌合する第１の溝６ｅと、可変プレート８が嵌合する第２の溝６ｆとを形成する断面Ｅ字状の部分を有する枠体６を用いる。枠体６をこのような２段構造とすることで、パネル４への枠体６の取り付けおよび枠体６への可変プレート８の取り付けを容易に行うことができる。これにより、パネル構造体２を足場に設置する際の作業性を向上させることができ、安全性を向上させることができる。
【００５５】
以上、上述の実施形態を挙げて本発明を説明したが、本発明は上述の実施形態に限定されない。例えば、実施形態では、可変プレート８が、枠体６において左右に対向する辺６ａ、６ｂに設けられた一対の長穴６ｃ、６ｄを介して回転可能である場合について説明したが、このような場合に限らない。長穴６ｃ、６ｄ以外の機構によって、可変プレート８が枠体６に回転可能な状態で取り付けられてもよい。
【００５６】
また実施形態では、長穴６ｃ、６ｄの形状が直線部１８ａと湾曲部１８ｂとで構成される場合について説明したが、このような場合に限らない。可変プレート８の左右端部の上下位置を可変に構成できれば、任意の形状（例えば、縦方向に延びた直線部のみによる形状）であってもよい。
【００５７】
また実施形態では、枠体６の形状として、図２、３に示すような断面Ｅ字状部分を有する形状である場合について説明したが、このような場合に限らない。パネル４の周縁を囲むとともに、可変プレート８の左右端部の上下位置を可変に構成することができれば、任意の形状であってもよい。
【００５８】
また実施形態では、可変プレート８の形状として、第１のプレート８ａと、接続部８ｂと、第２のプレート８ｃとを有する形状である場合について説明したが、このような場合に限らない。可変プレート８は、左右端部の上下位置を可変な状態で枠体６に取り付けられると共に、ガイドレール１２にスライドさせて保持することができれば、任意の形状であってもよく、１枚のプレートで構成されてもよい。
【産業上の利用可能性】
【００５９】
本発明は、足場における落下防止用のパネルによる構造体およびその組立方法であれば適用可能である。
【符号の説明】
【００６０】
２  パネル構造体
４  パネル
６  枠体
６ａ、６ｂ  辺
６ｃ、６ｄ  長穴
６ｅ  第１の溝
６ｆ  第２の溝
８  可変プレート
８ａ  第１のプレート
８ｂ  接続部（突出部）
８ｃ  第２のプレート
１０  移動部
１０ａ  ナット
１０ｂ  ボルト
１２  ガイドレール
１３  横単管
１４  鉛直単管
１６  単クランプ
１８ａ  直線部
１８ｂ  湾曲部
【図１Ａ】
0006674602.tif 000002
【図１Ｂ】
0006674602.tif 000003
【図２】
0006674602.tif 000004
【図３】
0006674602.tif 000005
【図４】
0006674602.tif 000006
【図５】
0006674602.tif 000007
【図６】
0006674602.tif 000008
【図７】
0006674602.tif 000009
【図８】
0006674602.tif 000010